【手続補正書】
【提出日】平成29年4月19日(2017.4.19)
【手続補正１】
【補正対象書類名】明細書
【補正対象項目名】０００７
【補正方法】変更
【補正の内容】
【０００７】
上記目的を達成するために、本発明の画像形成装置は、印刷データに基づく印刷処理を実行する画像形成装置であって、表示手段と、アクセスポイントを介して外部装置と無線通信を実行する第１のモード及び前記アクセスポイントを介さずに前記外部装置と前記無線通信を直接実行する第２のモードを有する無線ＬＡＮインタフェースと、少なくとも前記表示手段に電源が供給されない状態で前記画像形成装置が動作中であり、かつ、前記第２のモードの無線通信によって前記無線ＬＡＮインタフェースが前記印刷データを受信した場合、前記表示手段への電源の供給及び前記表示手段への所定の情報の表示を実行させる制御手段とを備え、少なくとも前記表示手段に電源が供給されない状態で前記画像形成装置が動作中であり、かつ、前記第１のモードによる無線通信によって前記無線ＬＡＮインタフェースが前記印刷データを受信した場合、前記表示手段に電源が供給されない状態が維持されることを特徴とする。
【手続補正２】
【補正対象書類名】特許請求の範囲
【補正対象項目名】全文
【補正方法】変更
【補正の内容】
【特許請求の範囲】
【請求項１】
印刷データに基づく印刷処理を実行する画像形成装置であって、
表示手段と、
アクセスポイントを介して外部装置と無線通信を実行する第１のモード及び前記アクセスポイントを介さずに前記外部装置と前記無線通信を直接実行する第２のモードを有する無線ＬＡＮインタフェースと、
少なくとも前記表示手段に電源が供給されない状態で前記画像形成装置が動作中であり、かつ、前記第２のモードの無線通信によって前記無線ＬＡＮインタフェースが前記印刷データを受信した場合、前記表示手段への電源の供給及び前記表示手段への所定の情報の表示を実行させる制御手段とを備え、
少なくとも前記表示手段に電源が供給されない状態で前記画像形成装置が動作中であり、かつ、前記第１のモードによる無線通信によって前記無線ＬＡＮインタフェースが前記印刷データを受信した場合、前記表示手段に電源が供給されない状態が維持されることを特徴とする画像形成装置。
【請求項２】
前記第２のモードは、Ｗｉ−Ｆｉダイレクトによる無線通信を実行するモードであることを特徴とする請求項１に記載の画像形成装置。
【請求項３】
印刷データに基づく印刷処理を実行する画像形成装置であって、
表示手段と、
アクセスポイントを介して外部装置と無線通信を実行する第１の無線ＬＡＮインタフェースと、
前記アクセスポイントを介さずに前記外部装置と前記無線通信を直接実行する第２の無線ＬＡＮインタフェースと、
少なくとも前記表示手段に電源が供給されない状態で前記画像形成装置が動作中であり、かつ、前記第２の無線ＬＡＮインタフェースが前記印刷データを受信した場合、前記表示手段への電源の供給及び前記表示手段への所定の情報の表示を実行させる制御手段とを備え、
少なくとも前記表示手段に電源が供給されない状態で前記画像形成装置が動作中であり、かつ、前記第１の無線ＬＡＮインタフェースが前記印刷データを受信した場合、前記表示手段に電源が供給されない状態が維持されることを特徴とする画像形成装置。
【請求項４】
前記第２の無線ＬＡＮインタフェースは、Ｗｉ−Ｆｉダイレクトによる無線通信を実行することを特徴とする請求項３に記載の画像形成装置。
【請求項５】
印刷データに基づく印刷処理を実行する画像形成装置であって、
表示手段と、
無線ＬＡＮインタフェースと、
有線ＬＡＮインタフェースと、
少なくとも前記表示手段に電源が供給されない状態で前記画像形成装置が動作中であり、かつ、前記無線ＬＡＮインタフェースが前記印刷データを受信した場合、前記表示手段への電源の供給及び前記表示手段への所定の情報の表示を実行させる制御手段とを備え、
少なくとも前記表示手段に電源が供給されない状態で前記画像形成装置が動作中であり、かつ、前記有線ＬＡＮインタフェースが前記印刷データを受信した場合、前記表示手段に電源が供給されない状態が維持されることを特徴とする画像形成装置。
【請求項６】
前記所定の情報は、前記印刷処理を実行中であることをユーザに通知するための情報であることを特徴とする請求項１乃至５のいずれか１項に記載の画像形成装置。
【請求項７】
表示手段と、アクセスポイントを介して外部装置と無線通信を実行する第１のモード及び前記アクセスポイントを介さずに前記外部装置と前記無線通信を直接実行する第２のモードを有する無線ＬＡＮインタフェースとを備え、印刷データに基づく印刷処理を実行する画像形成装置の制御方法であって、
少なくとも前記表示手段に電源が供給されない状態で前記画像形成装置が動作中であり、かつ、前記第２のモードの無線通信によって前記無線ＬＡＮインタフェースが前記印刷データを受信した場合、前記表示手段への電源の供給及び前記表示手段への所定の情報の表示を実行させる制御ステップを有し、
少なくとも前記表示手段に電源が供給されない状態で前記画像形成装置が動作中であり、かつ、前記第１のモードによる無線通信によって前記無線ＬＡＮインタフェースが前記印刷データを受信した場合、前記表示手段に電源が供給されない状態が維持されることを特徴とする画像形成装置の制御方法。
【請求項８】
表示手段と、アクセスポイントを介して外部装置と無線通信を実行する第１の無線ＬＡＮインタフェースと、前記アクセスポイントを介さずに前記外部装置と前記無線通信を直接実行する第２の無線ＬＡＮインタフェースとを備え、印刷データに基づく印刷処理を実行する画像形成装置の制御方法であって、
少なくとも前記表示手段に電源が供給されない状態で前記画像形成装置が動作中であり、かつ、前記第２の無線ＬＡＮインタフェースが前記印刷データを受信した場合、前記表示手段への電源の供給及び前記表示手段への所定の情報の表示を実行させる制御ステップを有し、
少なくとも前記表示手段に電源が供給されない状態で前記画像形成装置が動作中であり、かつ、前記第１の無線ＬＡＮインタフェースが前記印刷データを受信した場合、前記表示手段に電源が供給されない状態が維持されることを特徴とする画像形成装置の制御方法。
【請求項９】
表示手段と、無線ＬＡＮインタフェースと、有線ＬＡＮインタフェースとを備え、印刷データに基づく印刷処理を実行する画像形成装置の制御方法であって、
少なくとも前記表示手段に電源が供給されない状態で前記画像形成装置が動作中であり、かつ、前記無線ＬＡＮインタフェースが前記印刷データを受信した場合、前記表示手段への電源の供給及び前記表示手段への所定の情報の表示を実行させる制御ステップを有し、
少なくとも前記表示手段に電源が供給されない状態で前記画像形成装置が動作中であり、かつ、前記有線ＬＡＮインタフェースが前記印刷データを受信した場合、前記表示手段に電源が供給されない状態が維持されることを特徴とする画像形成装置の制御方法。
【請求項１０】
表示手段と、アクセスポイントを介して外部装置と無線通信を実行する第１のモード及び前記アクセスポイントを介さずに前記外部装置と前記無線通信を直接実行する第２のモードを有する無線ＬＡＮインタフェースとを備え、印刷データに基づく印刷処理を実行する画像形成装置の制御方法をコンピュータに実行させるプログラムであって、
前記画像形成装置の制御方法は、
少なくとも前記表示手段に電源が供給されない状態で前記画像形成装置が動作中であり、かつ、前記第２のモードの無線通信によって前記無線ＬＡＮインタフェースが前記印刷データを受信した場合、前記表示手段への電源の供給及び前記表示手段への所定の情報の表示を実行させる制御ステップを有し、
少なくとも前記表示手段に電源が供給されない状態で前記画像形成装置が動作中であり、かつ、前記第１のモードによる無線通信によって前記無線ＬＡＮインタフェースが前記印刷データを受信した場合、前記表示手段に電源が供給されない状態が維持されることを特徴とするプログラム。
【請求項１１】
表示手段と、アクセスポイントを介して外部装置と無線通信を実行する第１の無線ＬＡＮインタフェースと、前記アクセスポイントを介さずに前記外部装置と前記無線通信を直接実行する第２の無線ＬＡＮインタフェースとを備え、印刷データに基づく印刷処理を実行する画像形成装置の制御方法をコンピュータに実行させるプログラムであって、
前記画像形成装置の制御方法は、
少なくとも前記表示手段に電源が供給されない状態で前記画像形成装置が動作中であり、かつ、前記第２の無線ＬＡＮインタフェースが前記印刷データを受信した場合、前記表示手段への電源の供給及び前記表示手段への所定の情報の表示を実行させる制御ステップを有し、
少なくとも前記表示手段に電源が供給されない状態で前記画像形成装置が動作中であり、かつ、前記第１の無線ＬＡＮインタフェースが前記印刷データを受信した場合、前記表示手段に電源が供給されない状態が維持されることを特徴とするプログラム。
【請求項１２】
表示手段と、無線ＬＡＮインタフェースと、有線ＬＡＮインタフェースとを備え、印刷データに基づく印刷処理を実行する画像形成装置の制御方法をコンピュータに実行させるプログラムであって、
前記画像形成装置の制御方法は、
少なくとも前記表示手段に電源が供給されない状態で前記画像形成装置が動作中であり、かつ、前記無線ＬＡＮインタフェースが前記印刷データを受信した場合、前記表示手段への電源の供給及び前記表示手段への所定の情報の表示を実行させる制御ステップを有し、
少なくとも前記表示手段に電源が供給されない状態で前記画像形成装置が動作中であり、かつ、前記有線ＬＡＮインタフェースが前記印刷データを受信した場合、前記表示手段に電源が供給されない状態が維持されることを特徴とするプログラム。